(57)【要約】【課題】ヘテロジニアス・ネットワークにおいて、干渉波を排除して、無線端末に制御情報を受信させることができる無線通信システム及び無線通信プログラムを提供する。【解決手段】無線通信システム１０００は、マクロセル基地局１０が、非ＣＳＧ端末３０がフェムトセル２００内に在るか否かを検知する検知部と、非ＣＳＧ端末３０がフェムトセル２００内に在る場合、非ＣＳＧ端末３０に対して自無線基地局から制御情報を送信するための周波数領域を、所定の周波数領域に割り当てる割当部と、を有し、ＣＳＧ基地局２０が、非ＣＳＧ端末３０がフェムトセル２００内に在るか否かを検知する検知部と、非ＣＳＧ端末３０がフェムトセル２００内に在る場合、フェムトセル２００内に在るＣＳＧ端末に対して自無線基地局が制御情報を送信するための周波数領域を、前記所定の周波数領域以外に割り当てる割当部と、を有する。【選択図】図１
2012080347.tif 000002
【特許請求の範囲】
【請求項１】
第１セルを形成する第１無線基地局と、該第１セル内で該第１セルと重複する周波数を使用する第２セルを形成し、前記第２セル内に在る登録された無線端末のみに無線サービスを提供する第２無線基地局とを備える無線通信システムにおいて、
前記第１無線基地局は、
登録されていない無線端末が前記第２セル内に在るか否かを検知する第１検知部と、
前記登録されていない無線端末が前記第２セル内に在る場合、該登録されていない無線端末に対して自無線基地局から制御情報を送信するための周波数領域を、所定の周波数領域に割り当てる第１割当部と、
を有し、
前記第２無線基地局は、
前記登録されていない無線端末が前記第２セル内に在るか否かを検知する第２検知部と、
前記登録されていない無線端末が前記第２セル内に在る場合、前記第２セル内に在る前記登録された無線端末に対して自無線基地局が制御情報を送信するための周波数領域を、前記所定の周波数領域以外に割り当てる第２割当部と、
を有することを特徴とする無線通信システム。
【請求項２】
前記所定の周波数領域は、ＣＣＥ（Ｃｏｎｔｒｏｌ Ｃｈａｎｎｅｌ Ｅｌｅｍｅｎｔ）インデックスが予め定められた範囲に対応する周波数領域であることを特徴とする請求項１に記載の無線通信システム。
【請求項３】
第１セルを形成する第１無線基地局と、該第１セル内で該第１セルと重複する周波数を使用する第２セルを形成し、前記第２セル内に在る無線端末に無線サービスを提供する第２無線基地局とを備える無線通信システムにおいて、
前記第２無線基地局は、
前記第２セル内に予め定められたカバレッジ拡張された範囲に、前記無線端末が在るか否かを検知する第１検知部と、
前記第２セル内に予め定められたカバレッジ拡張された範囲に、前記無線端末が在る場合、該無線端末に対して自無線基地局から制御情報を送信するための周波数領域を、所定の周波数領域に割り当てる第１割当部と、
を有し、
前記第１無線基地局は、
前記第２セル内に予め定められたカバレッジ拡張された範囲に、前記無線端末が在るか否かを検知する第２検知部と、
前記第２セル内に予め定められたカバレッジ拡張された範囲に、前記無線端末が在る場合、前記第１セル内に在る無線端末に対して自無線基地局が制御情報を送信するための周波数領域を、前記所定の周波数領域以外に割り当てる第２割当部と、
を有することを特徴とする無線通信システム。
【請求項４】
前記所定の周波数領域は、ＣＣＥ（Ｃｏｎｔｒｏｌ Ｃｈａｎｎｅｌ Ｅｌｅｍｅｎｔ）インデックスが予め定められた範囲に対応する周波数領域であることを特徴とする請求項３に記載の無線通信システム。
【請求項５】
第１セルを形成する第１無線基地局と、該第１セル内で該第１セルと重複する周波数を使用する第２セルを形成し、前記第２セル内に在る登録された無線端末のみに無線サービスを提供する第２無線基地局とを備える無線通信システムのコンピュータに、
前記第１無線基地局の第１検知部が、登録されていない無線端末が前記第２セル内に在るか否かを検知する手順と、
前記第１無線基地局の第１割当部が、前記登録されていない無線端末が前記第２セル内に在る場合、該登録されていない無線端末に対して自無線基地局から制御情報を送信するための周波数領域を、所定の周波数領域に割り当てる手順と、
前記第２無線基地局の第２検知部が、前記登録されていない無線端末が前記第２セル内に在るか否かを検知する手順と、
前記第２無線基地局の第２割当部が、前記登録されていない無線端末が前記第２セル内に在る場合、前記第２セル内に在る前記登録された無線端末に対して自無線基地局が制御情報を送信するための周波数領域を、前記所定の周波数領域以外に割り当てる手順と、
を実行させるための無線通信プログラム。
【請求項６】
第１セルを形成する第１無線基地局と、該第１セル内で該第１セルと重複する周波数を使用する第２セルを形成し、前記第２セル内に在る無線端末に無線サービスを提供する第２無線基地局とを備える無線通信システムのコンピュータに、
前記第２無線基地局の第１検知部が、前記第２セル内に予め定められたカバレッジ拡張された範囲に、前記無線端末が在るか否かを検知する手順と、
前記第２無線基地局の第１割当部が、前記第２セル内に予め定められたカバレッジ拡張された範囲に、前記無線端末が在る場合、該無線端末に対して自無線基地局から制御情報を送信するための周波数領域を、所定の周波数領域に割り当てる手順と、
前記第１無線基地局の第２検知部が、前記第２セル内に予め定められたカバレッジ拡張された範囲に、前記無線端末が在るか否かを検知する手順と、
前記第１無線基地局の第２割当部が、前記第２セル内に予め定められたカバレッジ拡張された範囲に、前記無線端末が在る場合、前記第１セル内に在る無線端末に対して自無線基地局が制御情報を送信するための周波数領域を、前記所定の周波数領域以外に割り当てる手順と、
を実行させるための無線通信プログラム。
【発明の詳細な説明】
【技術分野】
【０００１】
本発明は、干渉波を排除して、無線端末に制御情報を受信させる無線通信システム及び無線通信プログラムに関する。
【背景技術】
【０００２】
近年、屋内などのローカルエリアにおける無線通信の品質改善、及びマクロエリアにおける無線通信のトラヒックオフロードのため、フェムトセルとマクロセルとから構成される「ヘテロジニアス・ネットワーク（ヘテロジニアス無線アクセスネットワーク）」が注目されている。
【０００３】
また、無線通信規格であるＬＴＥ（Ｌｏｎｇ Ｔｅｒｍ Ｅｖｏｌｕｔｉｏｎ）が注目されている。ＬＴＥでは、基地局から無線端末にデータを送信する下り無線アクセス方式に、ＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）が用いられており、また、無線端末から基地局にデータを送信する上り無線アクセス方式には、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)が用いられている（非特許文献１及び２参照）。
【０００４】
このＯＦＤＭＡ及びＳＣ−ＦＤＭＡシステムでは、システム帯域幅が複数のサブキャリア群に分割されており、分割されたサブキャリア群ごとに、異なる無線端末に物理チャネルが割り当てられる。また、サブキャリア群の構成、及び物理チャネルが割り当てられる無線端末は、時間に応じて変更される。このように、ＯＦＤＭＡ及びＳＣ−ＦＤＭＡシステムでは、周波数成分と時間成分との二次元的な無線リソースを用いて、物理チャネルの割り当てが柔軟に行われる。
【０００５】
ＬＴＥでは、無線リソースの割当情報を通知するための物理制御チャネルであるＰＤＣＣＨ（Ｐｈｙｓｉｃａｌ Ｄｏｗｎｌｉｎｋ Ｃｏｎｔｒｏｌ Ｃｈａｎｎｅｌ）を用いて、時刻に応じて変化する物理チャネルの割当情報を、無線端末に通知する。また、複数の基地局から構成される無線アクセスネットワークにおいて、ＰＤＣＣＨへの無線リソースの割り当ては、基地局毎に実行される。
【先行技術文献】
【非特許文献】
【０００６】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【０００７】
しかしながら、予め登録された無線端末のみに無線サービスを提供するＣＳＧ（Ｃｌｏｓｅｄ Ｓｕｂｓｃｒｉｂｅｒ Ｇｒｏｕｐ）基地局が形成するフェムトセル内に、登録されていない無線端末（非ＣＳＧ端末）が在る場合、その登録されていない無線端末は、ＣＳＧ基地局から無線サービスの提供を受けることができないにも関わらず、マクロセル基地局から送信された希望波の受信品質、特に全帯域に展開されている制御情報の受信品質が、ＣＳＧ基地局が送信する干渉波によって低下してしまうという問題があった。
【０００８】
また、送信電力がマクロ基地局よりも低いピコ基地局が形成するピコセルにおいて、レンジ拡張（Ｒａｎｇｅ Ｅｘｐａｎｓｉｏｎ）によりピコセルのカバレッジが拡張された範囲に、無線端末が在る場合、その無線端末は、ピコ基地局から無線サービスの提供を受ける際に、そのピコ基地局から送信された希望波の受信品質、特に全帯域に展開されている制御情報の受信品質が、マクロセル基地局が送信する干渉波によって低下してしまうという問題があった。
【０００９】
本発明は、前記の諸点に鑑みてなされたものであり、ヘテロジニアス・ネットワークにおいて、干渉波を排除して、無線端末に制御情報を受信させることができる無線通信システム及び無線通信プログラムを提供することを目的とする。
【課題を解決するための手段】
【００１０】
本発明は、上記の課題を解決するためになされたものであり、第１セルを形成する第１無線基地局と、該第１セル内で該第１セルと重複する周波数を使用する第２セルを形成し、前記第２セル内に在る登録された無線端末のみに無線サービスを提供する第２無線基地局とを備える無線通信システムにおいて、前記第１無線基地局は、登録されていない無線端末が前記第２セル内に在るか否かを検知する第１検知部と、前記登録されていない無線端末が前記第２セル内に在る場合、該登録されていない無線端末に対して自無線基地局から制御情報を送信するための周波数領域を、所定の周波数領域に割り当てる第１割当部と、を有し、前記第２無線基地局は、前記登録されていない無線端末が前記第２セル内に在るか否かを検知する第２検知部と、前記登録されていない無線端末が前記第２セル内に在る場合、前記第２セル内に在る前記登録された無線端末に対して自無線基地局が制御情報を送信するための周波数領域を、前記所定の周波数領域以外に割り当てる第２割当部と、を有することを特徴とする無線通信システムである。
【００１１】
また、本発明は、前記所定の周波数領域が、ＣＣＥ（Ｃｏｎｔｒｏｌ Ｃｈａｎｎｅｌ Ｅｌｅｍｅｎｔ）インデックスが予め定められた範囲に対応する周波数領域であることを特徴とする無線通信システムである。
【００１２】
また、本発明は、第１セルを形成する第１無線基地局と、該第１セル内で該第１セルと重複する周波数を使用する第２セルを形成し、前記第２セル内に在る無線端末に無線サービスを提供する第２無線基地局とを備える無線通信システムにおいて、前記第２無線基地局は、前記第２セル内に予め定められたカバレッジ拡張された範囲に、前記無線端末が在るか否かを検知する第１検知部と、前記第２セル内に予め定められたカバレッジ拡張された範囲に、前記無線端末が在る場合、該無線端末に対して自無線基地局から制御情報を送信するための周波数領域を、所定の周波数領域に割り当てる第１割当部と、を有し、前記第１無線基地局は、前記第２セル内に予め定められたカバレッジ拡張された範囲に、前記無線端末が在るか否かを検知する第２検知部と、前記第２セル内に予め定められたカバレッジ拡張された範囲に、前記無線端末が在る場合、前記第１セル内に在る無線端末に対して自無線基地局が制御情報を送信するための周波数領域を、前記所定の周波数領域以外に割り当てる第２割当部と、を有することを特徴とする無線通信システムである。
【００１３】
また、本発明は、前記所定の周波数領域が、ＣＣＥ（Ｃｏｎｔｒｏｌ Ｃｈａｎｎｅｌ Ｅｌｅｍｅｎｔ）インデックスが予め定められた範囲に対応する周波数領域であることを特徴とする無線通信システムである。
【００１４】
また、本発明は、第１セルを形成する第１無線基地局と、該第１セル内で該第１セルと重複する周波数を使用する第２セルを形成し、前記第２セル内に在る登録された無線端末のみに無線サービスを提供する第２無線基地局とを備える無線通信システムのコンピュータに、前記第１無線基地局の第１検知部が、登録されていない無線端末が前記第２セル内に在るか否かを検知する手順と、前記第１無線基地局の第１割当部が、前記登録されていない無線端末が前記第２セル内に在る場合、該登録されていない無線端末に対して自無線基地局から制御情報を送信するための周波数領域を、所定の周波数領域に割り当てる手順と、前記第２無線基地局の第２検知部が、前記登録されていない無線端末が前記第２セル内に在るか否かを検知する手順と、前記第２無線基地局の第２割当部が、前記登録されていない無線端末が前記第２セル内に在る場合、前記第２セル内に在る前記登録された無線端末に対して自無線基地局が制御情報を送信するための周波数領域を、前記所定の周波数領域以外に割り当てる手順と、を実行させるための無線通信プログラムである。
【００１５】
また、本発明は、第１セルを形成する第１無線基地局と、該第１セル内で該第１セルと重複する周波数を使用する第２セルを形成し、前記第２セル内に在る無線端末に無線サービスを提供する第２無線基地局とを備える無線通信システムのコンピュータに、前記第２無線基地局の第１検知部が、前記第２セル内に予め定められたカバレッジ拡張された範囲に、前記無線端末が在るか否かを検知する手順と、前記第２無線基地局の第１割当部が、前記第２セル内に予め定められたカバレッジ拡張された範囲に、前記無線端末が在る場合、該無線端末に対して自無線基地局から制御情報を送信するための周波数領域を、所定の周波数領域に割り当てる手順と、前記第１無線基地局の第２検知部が、前記第２セル内に予め定められたカバレッジ拡張された範囲に、前記無線端末が在るか否かを検知する手順と、前記第１無線基地局の第２割当部が、前記第２セル内に予め定められたカバレッジ拡張された範囲に、前記無線端末が在る場合、前記第１セル内に在る無線端末に対して自無線基地局が制御情報を送信するための周波数領域を、前記所定の周波数領域以外に割り当てる手順と、を実行させるための無線通信プログラムである。
【発明の効果】
【００１６】
本発明によれば、ヘテロジニアス・ネットワークにおいて、無線通信システムは、マクロセル基地局が割り当てる周波数領域と、ＣＳＧ基地局又はピコ基地局が割り当てる周波数領域とが排他されるように、無線端末に対して制御情報を送信するための周波数領域を割り当てるので、干渉波を排除して、無線端末に制御情報を受信させることができる。
【図面の簡単な説明】
【００１７】
【図１】本発明の第１実施形態における、無線通信システムの構成を示す概略図である。
【図２】本発明の第１実施形態における、無線通信システムの詳細構成を示すブロック図である。
【図３】本発明の第１実施形態における、ＯＦＤＭシンボルとサブキャリアとの関係の例を示す図である。
【図４】本発明の第１実施形態における、検索空間とＰＤＣＣＨ候補数との関係の例を示す表である。
【図５】本発明の第１実施形態における、ＣＣＥインデックスの割り当てを示す表である。
【図６】本発明の第１実施形態における、マクロセル基地局の動作手順を示すフローチャートである。
【図７】本発明の第２実施形態における、無線通信システムの構成を示す概略図である。
【図８】本発明の第２実施形態における、ＣＣＥインデックスの割り当てを示す表である。
【発明を実施するための形態】
【００１８】
[第１の実施形態]
本発明の第１の実施形態について図面を参照して詳細に説明する。図１は、無線通信システムの構成を示す概略図である。無線通信システム１０００は、ヘテロジニアス・ネットワークを構成している。ヘテロジニアス・ネットワークとは、送信電力、バックホール、全ての無線端末に無線サービスを提供する（オープンする）かどうか、などの特性が異なる複数の無線基地局により構築されるネットワークである。以下、無線通信システム１０００は、一例として、ＬＴＥに基づく無線通信を実行するものとして説明する。
【００１９】
無線通信システム１０００は、マクロセル基地局１０と、ＣＳＧ基地局２０と、非ＣＳＧ端末３０とを備える。なお、無線通信システム１０００は、非ＣＳＧ端末３０の他に、無線端末（不図示）をさらに備えていてもよい。
【００２０】
マクロセル基地局１０は、マクロセル（マクロエリア）１００を形成し、マクロセル１００内に在る非ＣＳＧ端末３０及び他の無線端末（不図示）と、無線通信を実行する。ここで、マクロセル基地局１０は、下り制御チャネルであるＰＤＣＣＨを、それらの無線端末に送信する。無線端末からマクロセル基地局にデータを送信する上り、及びマクロセル基地局から無線端末にデータを送信する下りにおいて、データチャネルがいずれの無線リソースに割り当てられているかを表す情報が、このＰＤＣＣＨによって、その無線端末（ＵＥ：Ｕｓｅｒ Ｅｑｕｉｐｍｅｎｔ）に通知される。また、マクロセル基地局１０は、無線端末を識別するための識別情報（端末ＩＤ）を、その無線端末に配分する。
【００２１】
また、マクロセル基地局１０は、いずれかの無線端末がフェムトセル２００に在る（接近した）場合、その無線端末をＣＳＧ基地局２０にハンドオーバさせるための信号（以下、「ハンドオーバ要求メッセージ」という）を送信する。また、そのハンドオーバ要求を拒否することを表す信号（以下、「ハンドオーバ拒否メッセージ」という）をＣＳＧ基地局２０が送信した場合、マクロセル基地局１０は、そのハンドオーバ拒否メッセージをＣＳＧ基地局２０から受信する。
【００２２】
ＣＳＧ基地局２０は、マクロセル１００内でマクロセル１００と重複する周波数を使用するフェムトセル２００を形成し、フェムトセル２００内に在る「登録された無線端末（ＣＳＧ端末）（不図示）」に無線サービスを提供する。ここで、登録された無線端末とは、ＣＳＧ基地局から無線サービスの提供を受ける無線端末として、そのＣＳＧ基地局に予め登録された無線端末である。なお、ＣＳＧ基地局２０は、例えば、住宅、地下街、及び高層ビルなどに設置されている。
【００２３】
非ＣＳＧ端末３０は、登録されていない無線端末であって、マクロセル基地局１０と無線通信を実行する。ここで、登録されていない無線端末とは、ＣＳＧ基地局に登録されていないために、そのＣＳＧ基地局から無線サービスの提供を受けることができない無線端末である。
【００２４】
非ＣＳＧ端末３０は、マクロセル基地局１０からデータチャネル及び制御情報（ＰＤＣＣＨ）を受信し、受信した制御情報を復号する。また、非ＣＳＧ端末３０は、復号した制御情報に基づいて、データチャネルからデータを復号する。ここで、非ＣＳＧ端末３０は、ＣＳＧ基地局２０から無線サービスの提供を受けることはできないが、例えば、ＣＳＧ基地局２０が送信した参照信号の受信強度を測定することで、ＣＳＧ基地局２０と自端末との距離を検知することができる。
【００２５】
次に、無線通信システムの詳細構成を説明する。
図２は、無線通信システムの詳細構成を示すブロック図である。マクロセル基地局１０は、通信部１１と、検知部１２と、割当部１３とを備える。
【００２６】
通信部１１は、非ＣＳＧ端末３０との無線通信及びＣＳＧ基地局２０との通信を実行する。通信部１１は、複数のアンテナポートを備えていてもよい。通信部１１は、ＣＳＧ基地局２０からハンドオーバ拒否メッセージを受信することが可能である。また、通信部１１は、非ＣＳＧ端末３０とＣＳＧ基地局２０との距離を表す情報（以下、「距離情報」という）を、非ＣＳＧ端末３０から受信し、受信した距離情報を検知部１２に出力する。また、通信部１１は、検知部１２からの制御に応じて、ハンドオーバ要求メッセージをＣＳＧ基地局２０に送信する。また、通信部１１は、無線端末を識別するための識別情報（端末ＩＤ）を、その無線端末に配分する。
【００２７】
検知部１２は、マクロセル基地局１０と通信する無線端末のうち、いずれかの無線端末がフェムトセル２００に在る（接近した）場合、その無線端末をハンドオーバさせるため、通信部１１を介してＣＳＧ基地局２０にハンドオーバ要求メッセージを送信する。ここで、検知部１２は、通信部１１が受信した距離情報が表す距離が、所定距離（例えば、フェムトセル２００の半径）より短い場合、通信部１１を介してハンドオーバ要求メッセージを送信する。また、そのハンドオーバ要求に対してＣＳＧ基地局２０がハンドオーバ拒否メッセージを送信した場合、マクロセル基地局１０は、そのハンドオーバ拒否メッセージを、通信部１１を介して受信する。
【００２８】
検知部１２は、通信部１１が受信したハンドオーバ拒否メッセージに基づいて、フェムトセル２００内に非ＣＳＧ端末３０が在るか否かを検知する。具体的には、検知部１２は、通信部１１を介してハンドオーバ要求メッセージを送信してから所定期間内に、所定回数以上のハンドオーバ拒否メッセージを、通信部１１がＣＳＧ基地局２０から受信した場合、フェムトセル２００内に在る無線端末が、登録されていない無線端末であること、すなわち、非ＣＳＧ端末３０であることを検知する。検知部１２は、フェムトセル２００内に非ＣＳＧ端末３０が在るか否かを、割当部１３に通知する。
【００２９】
割当部１３は、フェムトセル２００内に非ＣＳＧ端末３０が在る場合、非ＣＳＧ端末３０に対して自無線基地局から制御情報（ＰＤＣＣＨ）を送信するための周波数領域を、所定の周波数領域に割り当てる。
【００３０】
図３には、ＯＦＤＭシンボルとサブキャリアとの関係の例が示されている。横軸は、ＯＦＤＭシンボルを表す。また、縦軸は、サブキャリアｋを表す。下りサブフレームは、（１４ＯＦＤＭシンボル）×（帯域のサブキャリア数）により構成される。ここで、一例として、ｋ＝０〜５９９（１２以上は、不図示）であるものとする。また、下りサブフレームにおける予め定められた位置には、アンテナポート毎にリファレンス・シグナル（ＲＳ）が配置される。
【００３１】
制御情報（ＰＤＣＣＨ）は、ＯＦＤＭシンボル０から最大でＯＦＤＭシンボル３までの領域に配置される。ここで、（１ＯＦＤＭシンボル）×（１サブキャリア）を、リソース・エレメント（ＲＥ：Ｒｅｓｏｕｒｃｅ ｅｌｅｍｅｎｔ)と定義する。また、サブキャリア方向（周波数方向）に４つのリソース・エレメント（ＲＥ）を含む領域を、「リソース・エレメント・グループ（ＲＥＧ：Ｒｅｓｏｕｒｃｅ ｅｌｅｍｅｎｔ ｇｒｏｕｐ）」と定義する。
【００３２】
さらに、９ＲＥＧを１ＣＣＥ（Ｃｏｎｔｒｏｌ Ｃｈａｎｎｅｌ Ｅｌｅｍｅｎｔ）と定義する。ＰＤＣＣＨは、ＣＣＥ単位で、下りサブフレーム（無線リソース）に配置される。ＰＤＣＣＨは、１ＣＣＥ（＝９ＲＥＧ）、２ＣＣＥ（＝１８ＲＥＧ）、４ＣＣＥ（＝３６ＲＥＧ）、又は８ＣＣＥ（＝７２ＲＥＧ）のいずれかで構成されるものとする。
【００３３】
また、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、及びＰＨＩＣＨ(Ｐｈｙｓｉｃａｌ Ｈｙｂｒｉｄ ＡＲＱ Ｉｎｄｉｃａｔｏｒ Ｃｈａｎｎｅｌ)に割り当てられたＲＥＧ以外のが順次に選択されることで、ＣＣＥは、その選択されたＲＥＧに割り当てられる（マッピング）。ここで、選択順は、（サブキャリアｋ，ＯＦＤＭシンボル）＝（０，０）から開始し、まず、ＯＦＤＭシンボルがインクリメントされ、次に、サブキャリアがインクリメントされるという順である。割当部１３は、このように選択したＲＥＧに、ＣＣＥを割り当てる。また、割り当てられたＣＣＥには、インデックス（以下、「ＣＣＥインデックス」という）が、例えば、番号「０」から順次付けられる。
【００３４】
図４には、検索空間(Ｓｅａｒｃｈ ｓｐａｃｅ)とＰＤＣＣＨ候補数との関係の例が示されている。ここで、検索空間とは、下りサブフレームにおいて、制御情報であるＰＤＣＣＨを割り当てることが可能であるＣＣＥの集合、すなわち、ＰＤＣＣＨが配置される領域である。この検索空間が限定されていれば、無線端末は、限定された検索空間をブラインド・デコーディングすることにより、ＰＤＣＣＨを復号することができる。予め定義した検索空間のみでブラインド・デコーディングすることができれば、無線端末は、ＰＤＣＣＨを復号する時間を短縮することが可能である。また、無線端末は、受信したデータチャネル及び制御チャネルを復号するための消費電力を抑えることも可能である。
【００３５】
検索空間は、ＰＤＣＣＨに含まれるＣＣＥの数(Ａｇｇｒｅｇａｔｉｏｎ ｌｅｖｅｌ)に応じて、そのサイズが変化する。ここで、ＰＤＣＣＨに含まれるＣＣＥの数は、１、２、４又は８のいずれかに定められる。なお、検索空間は、例えば、無線端末との通信が確立し、端末ＩＤが確定された後に、マクロセル基地局１０又はＣＳＧ基地局２０によって定められる。
【００３６】
タイプ（Ｔｙｐｅ）は、端末ＩＤ及びサブフレームＩＤに応じてＣＣＥインデックスが定められる検索空間であるか否かを表す。端末ＩＤ及びサブフレームＩＤに応じてＣＣＥインデックスが定められる検索空間のタイプを、以下、ユーザ端末固有（ＵＥ−ｓｐｅｃｉｆｉｃ ｓｅａｒｃｈ ｓｐａｃｅ）と称する。一方、ユーザ端末固有でない（例えば、ＣＣＥインデックスが固定値である）検索空間のタイプを、以下、共通(Ｃｏｍｍｏｎ)と称する。共通検索空間（共通Ｓｅａｒｃｈ Ｓｐａｃｅ）は、全ての端末にブロードキャストするシステム・インフォメーション（Ｓｙｓｔｅｍ Ｉｎｆｏｒｍａｔｉｏｎ）とページング（Ｐａｇｉｎｇ）のＰＤＣＣＨ割当にも使われている。
【００３７】
タイプが「ユーザ端末固有」であって、ＰＤＣＣＨに含まれるＣＣＥの数が「Ｌ＝１」と定められた無線端末がブラインド・デコーディングする検索空間は、端末ＩＤ及びサブフレームＩＤに応じて定められたＣＣＥインデックス（開始インデックス）から連続する「６ＣＣＥ」により構成される。また、「ＰＤＣＣＨ候補数」は、検索空間に配置できるＰＤＣＣＨの候補の数であり、この例では、検索空間サイズ６ＣＣＥ／ＰＤＣＣＨに含まれるＣＣＥ数１で、「６」となる。
【００３８】
また、タイプが「ユーザ端末固有」であって、ＰＤＣＣＨに含まれるＣＣＥの数が「Ｌ＝２」と定められた無線端末がブラインド・デコーディングする検索空間は、端末ＩＤ及びサブフレームＩＤに応じて定められたＣＣＥインデックス（開始インデックス）から連続する「１２ＣＣＥ」により構成される。また、「ＰＤＣＣＨ候補数」は、検索空間に配置できるＰＤＣＣＨの候補の数であり、この例では、検索空間サイズ１２ＣＣＥ／ＰＤＣＣＨに含まれるＣＣＥ数２で、「６」となる。
【００３９】
また、タイプが「ユーザ端末固有」であって、ＰＤＣＣＨに含まれるＣＣＥの数が「Ｌ＝４」と定められた無線端末がブラインド・デコーディングする検索空間は、端末ＩＤ及びサブフレームＩＤに応じて定められたＣＣＥインデックス（開始インデックス）から連続する「８ＣＣＥ」により構成される。また、「ＰＤＣＣＨ候補数」は、検索空間に配置できるＰＤＣＣＨの候補の数であり、この例では、検索空間サイズ８ＣＣＥ／ＰＤＣＣＨに含まれるＣＣＥ数４で、「２」となる。
【００４０】
また、タイプが「ユーザ端末固有」であって、ＰＤＣＣＨに含まれるＣＣＥの数が「Ｌ＝８」と定められた無線端末がブラインド・デコーディングする検索空間は、端末ＩＤ及びサブフレームＩＤに応じて定められたＣＣＥインデックス（開始インデックス）から連続する「１６ＣＣＥ」により構成される。また、「ＰＤＣＣＨ候補数」は、検索空間に配置できるＰＤＣＣＨの候補の数であり、この例では、検索空間サイズ１６ＣＣＥ／ＰＤＣＣＨに含まれるＣＣＥ数８で、「２」となる。
【００４１】
一方、タイプが「共通」であって、ＰＤＣＣＨに含まれるＣＣＥの数が「Ｌ＝４」と定められた無線端末がブラインド・デコーディングする検索空間は、ＣＣＥインデックス（開始インデックス）「０」から連続する「１６ＣＣＥ」により構成される。すなわち、この検索空間（周波数領域）に対応するＣＣＥインデックスは、「０〜１５」と固定されている。また、「ＰＤＣＣＨ候補数」は、検索空間に配置できるＰＤＣＣＨの候補の数であり、この例では、検索空間サイズ１６ＣＣＥ／ＰＤＣＣＨに含まれるＣＣＥ数４で、「４」となる。
【００４２】
また、タイプが「共通」であって、ＰＤＣＣＨに含まれるＣＣＥの数が「Ｌ＝８」と定められた無線端末がブラインド・デコーディングする検索空間は、ＣＣＥインデックス「０」から連続する「１６ＣＣＥ」により構成される。すなわち、この検索空間（周波数領域）に対応するＣＣＥインデックスは、「０〜１５」と固定されている。また、「ＰＤＣＣＨ候補数」は、検索空間に配置できるPDCCHの候補の数であり、この例では、検索空間サイズ１６CCE/PDCCHに含まれるCCE数８で、
【００４３】
また、タイプが「共通」であって、ＰＤＣＣＨに含まれるＣＣＥの数が「Ｌ＝８」と定められた無線端末がブラインド・デコーディングする検索空間は、ＣＣＥインデックス「０」から連続する「１６ＣＣＥ」により構成される。すなわち、この検索空間（周波数領域）に対応するＣＣＥインデックスは、「０〜１５」と固定されている。また、「ＰＤＣＣＨ候補数」は、「ＰＤＣＣＨに含まれるＣＣＥの数」と「サイズ」との関係から「２」となる。
【００４４】
図５には、ＣＣＥインデックス（ＣＣＥ  Ｉｎｄｅｘ）の割り当てが示されている。検索空間のタイプが「ユーザ端末固有」である無線端末には、端末ＩＤとサブフレームＩＤとに依存して、ＣＣＥインデックス「０〜４３」が割り当てられる。一方、検索空間のタイプが「共通」である無線端末には、ＣＣＥインデックス「０〜１５」が割り当てられる。
【００４５】
マクロセル基地局１０の割当部１３（図２を参照）は、フェムトセル２００内に在る、非ＣＳＧ端末３０（図１及び２を参照）に対して、タイプが「共通」である検索空間（周波数領域）を定め、ＣＣＥインデックス「０〜１５」を割り当てる。ここで、割当部１３は、共通検索範囲のＰＤＣＣＨ割当に使われるサブフレームにおいて、インデックス降順(又は、インデックス昇順)に従い、全ての端末にブロードキャストするシステム・インフォメーション又はページングのＰＤＣＣＨ割当を先に実行し、共通検索空間の残りのＣＣＥインデックスを、非ＣＳＧ端末３０のＰＤＣＣＨに割り当てる。
【００４６】
具体的には、非ＣＳＧ端末３０に対する「Ａｇｇｒｅｇａｔｉｏｎ ｌｅｖｅｌ」が仮に「Ｌ＝１」又は「Ｌ＝２」となっていた場合、割当部１３は、非ＣＳＧ端末３０に対する「Ａｇｇｒｅｇａｔｉｏｎ ｌｅｖｅｌ」を、「Ｌ＝４」に変更する。これにより、「Ａｇｇｒｅｇａｔｉｏｎ ｌｅｖｅｌ」が、もともと「Ｌ＝８」である非ＣＳＧ端末（不図示）があるとした場合、全ての非ＣＳＧ端末に対する「Ａｇｇｒｅｇａｔｉｏｎ ｌｅｖｅｌ」は、「Ｌ＝４」又は「Ｌ＝８」となる。
【００４７】
一方、割当部１３は、他の無線端末（不図示）に対し、当該他の無線端末の端末ＩＤ及びサブフレームＩＤに応じて、タイプが「ユーザ端末固有」である検索空間（周波数領域）を定める。また、割当部１３は、他の無線端末（不図示）に対し、ＣＣＥインデックス「１６〜４３」を、「Ａｇｇｒｅｇａｔｉｏｎ ｌｅｖｅｌ」（図４を参照）に応じて割り当てる。
【００４８】
具体的には、当該他の無線端末の端末ＩＤ及びサブフレームＩＤに応じて算出されたＣＣＥインデックスが「０〜１５」のいずれかの値と一致した場合、割当部１３は、その一致したＣＣＥインデックスを当該他の無線端末に割り当てないよう除外することで、当該他の無線端末にはＣＣＥインデックス「１６〜４３」のみを割り当てる。ここで、当該他の無線端末に対する検索空間を定める際、その端末ＩＤ及びサブフレームＩＤに応じて算出されたＣＣＥインデックスが「０〜１５」と完全一致した場合、割当部１３は、その無線端末に送信するデータを、上りサブフレーム及び下りサブフレームに割り当てないようにする。
なお、図５に示す項目「ＣＳＧ基地局」については、ＣＳＧ基地局２０の説明にて後述する。
【００４９】
図６は、マクロセル基地局の動作手順を示すフローチャートである。マクロセル基地局１０の割当部１３は、ＣＣＥインデックス０〜１５に割り当てた非ＣＳＧ端末を選択する（ステップＳ１）。割当部１３は、選択した非ＣＳＧ端末に送信するデータを、無線リソース（下りサブフレーム）に配置する（ステップＳ２）。割当部１３は、選択した非ＣＳＧ端末に送信する制御情報（ＰＤＣＣＨ）を、当該非ＣＳＧ端末に割り当てられたＣＣＥに配置する（ステップＳ３）。割当部１３は、データ及び制御情報（ＰＤＣＣＨ）を、選択した非ＣＳＧ端末に通信部１１を介して送信する（ステップＳ４）。
【００５０】
図２に戻り、無線通信システムの詳細構成の説明を続ける。ＣＳＧ基地局２０は、通信部２１と、検知部２２と、割当部２３とを備える。
通信部２１は、フェムトセル２００内に在るＣＳＧ端末（不図示）と無線通信を実行し、そのＣＳＧ端末に無線サービスを提供する（オープンする）。
【００５１】
また、通信部２１は、マクロセル基地局１０と通信を実行する。通信部２１は、マクロセル基地局１０からハンドオーバ要求メッセージを受信する。また、通信部１１は、検知部２２からの制御に応じて、ハンドオーバ拒否メッセージをマクロセル基地局１０に送信する。
【００５２】
検知部２２は、通信部２１が受信したハンドオーバ要求メッセージに基づいて、フェムトセル２００内に非ＣＳＧ端末３０が在るか否かを検知する。具体的には、検知部２２は、非ＣＳＧ端末３０をハンドオーバさせるためのハンドオーバ要求メッセージを、所定期間内に所定回数以上、通信部２１がマクロセル基地局１０から受信した場合、フェムトセル２００内に非ＣＳＧ端末３０が在ることを検知する。検知部２２は、フェムトセル２００内に非ＣＳＧ端末３０が在るか否かを、割当部２３に通知する。
【００５３】
割当部２３は、フェムトセル２００内に非ＣＳＧ端末３０が在る場合、フェムトセル２００内に在るＣＳＧ端末に対して自無線基地局が制御情報（ＰＤＣＣＨ）を送信するための周波数領域を、所定の周波数領域に割り当てる。
【００５４】
具体的には、図５に示すように、割当部２３は、フェムトセル２００内に在るＣＳＧ端末（不図示）に対し、そのＣＳＧ端末の端末ＩＤ及びサブフレームＩＤに応じて、タイプが「ユーザ端末固有」である検索空間（周波数領域）を定める。また、割当部２３は、そのＣＳＧ端末に対し、ＣＣＥインデックス「１６〜４３」を、「Ａｇｇｒｅｇａｔｉｏｎ ｌｅｖｅｌ」（図４を参照）に応じて割り当てる。また、割当部２３は、フェムトセル２００において、全ての端末にブロードキャストするシステム・インフォメーション又はページングのＰＤＣＣＨにＣＣＥの割当が必要な場合、インデックス昇順(又は、インデックス降順)に従い、共通検索空間のＣＣＥを割り当てる。
【００５５】
ここで、ＣＳＧ端末の端末ＩＤ及びサブフレームＩＤに応じて算出されたＣＣＥインデックスが「０〜１５」のいずれかの値と一致した場合、割当部２３は、その一致したＣＣＥインデックスをいずれの無線端末にも割り当てないよう除外することで、ＣＳＧ端末にはＣＣＥインデックス「１６〜４３」のみを割り当てる。また、ＣＳＧ端末に対する検索空間を定める際、その端末ＩＤ及びサブフレームＩＤに応じて算出されたＣＣＥインデックスが「０〜１５」と完全一致した場合、割当部２３は、その無線端末に送信するデータを、上りサブフレーム及び下りサブフレームに割り当てないようにする。
【００５６】
図２に戻り、無線通信システムの詳細構成の説明を続ける。非ＣＳＧ基地局３０は、通信部３１を備える。通信部３１は、マクロセル基地局１０からデータチャネル及び制御情報（ＰＤＣＣＨ）を受信し、受信した制御情報を復号する。また、非ＣＳＧ端末３０は、復号した制御情報に基づいて、データチャネルからデータを復号する。
【００５７】
通信部３１は、自端末がＣＳＧ基地局２０に登録されていない場合でも、そのＣＳＧ基地局２０から、例えば、干渉波に含まれたリファレンス・シグナル（ＲＳ）等を受信することができる。通信部３１は、例えば、ＣＳＧ基地局２０が送信した干渉波に含まれたリファレンス・シグナル（ＲＳ）の受信強度等を測定することにより、ＣＳＧ基地局２０と自端末との距離を検知することができる。さらに、通信部３１は、検知した距離を表す距離情報を、マクロセル基地局１０に送信してもよい。
【００５８】
以上のように、マクロセル１００を形成するマクロセル基地局１０と、マクロセル１００内でマクロセル１００と重複する周波数を使用するフェムトセル２００を形成し、フェムトセル２００内に在るＣＳＧ端末のみに無線サービスを提供するＣＳＧ基地局２０とを備える無線通信システム１０００において、無線通信システム１０００は、マクロセル基地局１０が、非ＣＳＧ端末３０がフェムトセル２００内に在るか否かを検知する検知部１２と、非ＣＳＧ端末３０がフェムトセル２００内に在る場合、非ＣＳＧ端末３０に対して自無線基地局から制御情報（ＰＤＣＣＨ）を送信するための周波数領域（検索空間）を、所定の周波数領域に割り当てる割当部１３と、を有し、ＣＳＧ基地局２０が、非ＣＳＧ端末３０がフェムトセル２００内に在るか否かを検知する検知部２２と、非ＣＳＧ端末３０がフェムトセル２００内に在る場合、フェムトセル２００内に在るＣＳＧ端末に対して自無線基地局が制御情報（ＰＤＣＣＨ）を送信するための周波数領域を、前記所定の周波数領域以外に割り当てる割当部２３と、を有する。
なお、該所定の周波数領域は、ＣＣＥインデックスが予め定められた（例えば、０から１５までの）範囲に対応する周波数領域でもよい。
【００５９】
これにより、ヘテロジニアス・ネットワークにおいて、無線通信システムは、干渉波を排除して、受信品質を低下させることなく無線端末に制御情報を受信させることができる。  すなわち、ＣＳＧ基地局が形成するフェムトセル内に非ＣＳＧ端末が在る場合、その非ＣＳＧ端末は、マクロセル基地局から送信された希望波、特に制御情報を、受信品質を低下させることなく受信することができる。
【００６０】
[第２の実施形態]
本発明の第２の実施形態について図面を参照して詳細に説明する。第１実施形態では、マクロセル基地局が無線端末に希望波を送信し、ＣＳＧ基地局が無線端末に干渉波を送信していた。第２実施形態では、マクロセル基地局が無線端末に干渉波を送信し、ピコ基地局が無線端末に希望波を送信する点が、第１実施形態と異なる。以下では、第１実施形態との相違点についてのみ説明する。
【００６１】
図７は、無線通信システムの構成を示す概略図である。無線通信システム１０００は、マクロセル基地局１０と、ピコ基地局４０と、無線端末６０とを備える。なお、無線通信システム１０００は、無線端末６０の他に、無線端末（不図示）をさらに備えていてもよい。
【００６２】
ピコ基地局４０は、マクロセル１００内でマクロセル１００と重複する周波数を使用するピコセル３００を形成し、さらに、レンジ拡張（Ｒａｎｇｅ Ｅｘｐａｎｓｉｏｎ）により拡張されたカバレッジ４００（カバレッジ拡張された範囲）を形成し、ピコセル３００内に在る全ての端末（無線端末６０を含む）に無線サービスを提供する。また、ピコ基地局４０は、端末を識別するための識別情報（端末ＩＤ）を、無線端末６０に配分する。
【００６３】
無線端末６０は、レンジ拡張により拡張されたカバレッジ４００に位置する。無線端末６０は、ピコ基地局４０から無線サービスの提供を受ける無線端末として、ピコ基地局４０と無線通信を実行する。また、無線端末６０は、ピコ基地局４０からデータチャネル及び制御情報（ＰＤＣＣＨ）を受信し、受信した制御情報を復号する。また、無線端末６０は、復号した制御情報に基づいて、データチャネルからデータを復号する。無線端末６０は、例えば、ピコ基地局４０が送信した希望波の受信強度等を測定することにより、ピコ基地局４０と自端末との距離を検知することができる。
【００６４】
なお、拡張されたカバレッジ４００においては、ピコ基地局４０が送信した希望波の受信電力よりも、マクロセル基地局１０が送信した干渉波の受信電力のほうが高いものとする。
【００６５】
次に、ＣＣＥインデックスの割り当てについて説明する。
図８には、ＣＣＥインデックス（ＣＣＥ  Ｉｎｄｅｘ）の割り当てが示されている。ＣＳＧ基地局２０の割当部２３（図２を参照）は、拡張されたカバレッジ４００に位置する端末６０に対して、タイプが「共通」である検索空間（周波数領域）を定め、ＣＣＥインデックス「０〜１５」を割り当てる。ここで、割当部２３は、共通検索範囲のＰＤＣＣＨ割当に使われるサブフレームにおいて、インデックス降順(又は、インデックス昇順)に従い、全ての端末にブロードキャストするシステム・インフォメーション又はページングのＰＤＣＣＨ割当を先に実行し、共通検索範囲の残りのＣＣＥインデックスを、無線端末６０（拡張されたカバレッジ４００に位置する端末）のＰＤＣＣＨに割り当てる。
また、割当部２３は、拡張されたカバレッジ４００に位置しない端末（不図示）に対して、タイプが「ユーザ端末固有」である検索空間（周波数領域）を定め、ＣＣＥインデックス「１６〜４３」を割り当てる。
【００６６】
一方、マクロセル基地局１０の割当部１３（図２を参照）は、マクロセル１００に在る無線端末（不図示）に対して、その端末ＩＤ及びサブフレームＩＤに応じて、タイプが「ユーザ端末固有」である検索空間（周波数領域）を定める。また、割当部１３は、マクロセル基地局１０と通信する無線端末に対し、ＣＣＥインデックス「１６〜４３」を、「Ａｇｇｒｅｇａｔｉｏｎ ｌｅｖｅｌ」（図４を参照）に応じて割り当てる。
また、割当部２３は、マクロセル１００において、全ての端末にブロードキャストするシステム・インフォメーション又はページングのＰＤＣＣＨにＣＣＥの割当が必要な場合、インデックス昇順(又は、インデックス降順)に従い、共通検索範囲のＣＣＥを割り当てる。
【００６７】
具体的には、マクロセル基地局１０と通信する無線端末の端末ＩＤ及びサブフレームＩＤに応じて算出されたＣＣＥインデックスが「０〜１５」のいずれかの値と一致した場合、割当部１３は、その一致したＣＣＥインデックスを当該無線端末に割り当てないよう除外することで、当該無線端末にはＣＣＥインデックス「１６〜４３」のみを割り当てる。ここで、当該無線端末に対する検索空間を定める際、その端末ＩＤ及びサブフレームＩＤに応じて算出されたＣＣＥインデックスが「０〜１５」と完全一致した場合、割当部１３は、その無線端末に送信するデータを、上りサブフレーム及び下りサブフレームに割り当てないようにする。
【００６８】
以上のように、マクロセル１００を形成するマクロセル基地局１０と、マクロセル１００内でマクロセル１００と重複する周波数を使用するピコセル３００を形成し、ピコセル３００内に在る無線端末６０に無線サービスを提供するピコ基地局４０とを備える無線通信システム１０００において、ピコ基地局４０は、ピコセル３００内に予め定められたカバレッジ拡張された範囲に、無線端末６０が在るか否かを検知する検知部２２と、ピコセル３００内に予め定められたカバレッジ拡張された範囲に、無線端末６０が在る場合、無線端末６０に対して自無線基地局から制御情報（ＰＤＣＣＨ）を送信するための周波数領域を、所定の周波数領域に割り当てる割当部２３と、を有し、マクロセル基地局１０は、ピコセル３００内に予め定められたカバレッジ拡張された範囲に、無線端末６０が在るか否かを検知する検知部１１と、ピコセル３００内に予め定められたカバレッジ拡張された範囲に、無線端末６０が在る場合、マクロセル１００内に在る無線端末（不図示）に対して自無線基地局が制御情報（ＰＤＣＣＨ）を送信するための周波数領域を、前記所定の周波数領域以外に割り当てる割当部１３と、を有する。
なお、該所定の周波数領域は、ＣＣＥインデックスが予め定められた（例えば、０から１５までの）範囲に対応する周波数領域でもよい。
【００６９】
これにより、ヘテロジニアス・ネットワークにおいて、無線通信システムは、干渉波を排除して、受信品質を低下させることなく無線端末に制御情報を受信させることができる。すなわち、ピコセルにおけるカバレッジ拡張された範囲に無線端末が在る場合、その無線端末は、ピコ基地局から送信された希望波、特に制御情報を、受信品質を低下させることなく受信することができる。
【００７０】
以上、この発明の実施形態について図面を参照して詳述してきたが、具体的な構成はこの実施形態に限られるものではなく、この発明の要旨を逸脱しない範囲の設計等も含まれる。
【００７１】
例えば、制御情報には、ＰＣＦＩＣＨ、及びＰＨＩＣＨが含まれていてもよい。
【００７２】
また、例えば、非ＣＳＧ端末をハンドオーバさせるためのハンドオーバ要求メッセージを、所定期間中にＣＳＧ基地局が受信していない場合、ＣＳＧ基地局は、そのカバレッジエリア内に非ＣＳＧ端末が存在しないと判定する、としてもよい。この場合、ＣＳＧ基地局は、ＣＳＧ端末に対して、全てのＣＣＥインデックス「０〜４３」を割り当ててもよい。
【００７３】
また、例えば、所定期間中にマクロセル基地局がハンドオーバ拒否メッセージを受信していない場合、マクロセル基地局は、ＣＳＧ基地局のカバレッジエリア内に非ＣＳＧ端末が存在しないと判定する、としてもよい。この場合、マクロセル基地局は、無線端末に対して、全てのＣＣＥインデックス「０〜４３」を割り当ててもよい。
【００７４】
また、例えば、マクロセルの外側には、他の基地局が形成するマクロセル及びローカルエリアがあってもよい。
【００７５】
なお、以上に説明した無線通信システムを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、又は、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００７６】
１０…マクロセル基地局、１１…通信部、１２…検知部、１３…割当部、２０…ＣＳＧ基地局、２１…通信部、２２…検知部、２３…割当部、３０…非ＣＳＧ基地局、３１…通信部、４０…ピコ基地局、６０…無線端末、１００…マクロセル、２００…フェムトセル、３００…ピコセル、４００…拡張されたカバレッジ、１０００…無線通信システム
【図１】
2012080347.tif 000003
【図２】
2012080347.tif 000004
【図３】
2012080347.tif 000005
【図４】
2012080347.tif 000006
【図５】
2012080347.tif 000007
【図６】
2012080347.tif 000008
【図７】
2012080347.tif 000009
【図８】
2012080347.tif 000010